(57)【要約】【課題】  拡張色空間に属する画像をデバイスによらず忠実に色再現する。【解決手段】  画像処理装置において画像処理プログラム５０は動作し、、画像処理プログラム５０の受付部５２は、通信装置２０又は記憶装置２２を介して、画像表示装置から、拡張色空間に属する画像データ（ＲＧＢ各１６ｂｉｔ）を受け付ける。受付部５２は、色空間情報及び色域マッピング情報を受け付ける。色空間設定部５６は、色空間情報に基づいて、ソースの色空間を、受け付けられた色空間に設定する。色域マッピング部５８は、色域マッピング情報に基づいて色域マッピング処理を施す。色変換部６０は、色域マッピング処理を施された後の画像データを、印刷処理に適した表色系の画像データ（ＹＭＣＫ）に色変換する。像形成部６２は、この画像データに基づいて、出力デバイスを制御して、画像を形成する。【選択図】  図７
2006093780.tif 000002
【特許請求の範囲】
【請求項１】
画像データとこの画像データの色再現を行うための色空間及び色域マッピング手法を含む色再現情報とを受け付ける受付手段と、
この受付手段により受け付けられた色再現情報に基づいて、前記画像データの色再現を行う色再現手段と、
を有する画像処理装置。
【請求項２】
色域マッピング手法を記憶する色域マッピング記憶手段をさらに有し、
前記色再現手段は、前記受付手段により受け付けられた色再現情報に応じて前記色域マッピング記憶手段に記憶されている色域マッピング手法を選択し、この色域マッピング手法に基づいて前記画像データの色再現を行う
請求項１に記載の画像処理装置。
【請求項３】
色空間情報を記憶する色空間記憶手段をさらに有し、
前記色再現手段は、前記受付手段により受け付けられた色再現情報に応じて前記色空間記憶手段に記憶されている色空間を選択し、この色空間に基づいて前記画像データの色再現を行う
請求項１又は２に記載の画像処理装置。
【請求項４】
前記受付手段は、ｓｃＲＧＢ色空間に属する画像データを受け付ける
請求項１乃至３のいずれかに記載の画像処理装置。
【請求項５】
画像表示装置及び画像処理装置を含む画像処理システムであって、
前記画像表示装置は、
色空間及び色域マッピング手法に基づいて画像データを表示する表示手段と、
この表示手段により表示された画像データと、この画像データを表示するための色空間及び色域マッピング手法を含む色再現情報とを送信する送信手段と、
を有し、
前記画像処理装置は、
画像データとこの画像データの色再現を行うための色空間及び色域マッピング手法を含む色再現情報とを受け付ける受付手段と、
この受付手段により受け付けられた色再現情報に基づいて、前記画像データの色再現を行う色再現手段と、
を有する
画像処理システム。
【請求項６】
前記表示手段は、画像の画素がＲＧＢで表現された画像データを表示し、
前記送信手段は、前記表示手段による表示のためのＲＧＢそれぞれのＴＲＣ、ＲＧＢ−ＸＹＺ変換マトリックス又はＣＬＵＴの少なくともいずれか１つを送信し、
前記受付手段は、前記送信手段から送信されたＲＧＢそれぞれのＴＲＣ、ＲＧＢ−ＸＹＺ変換マトリックス又はＣＬＵＴの少なくともいずれか１つを受け付ける
請求項５に記載の画像処理システム。
【請求項７】
画像データとこの画像データの色再現を行うための色空間及び色域マッピング手法を含む色再現情報とを受け付け、
この受け付けられた色再現情報に基づいて、前記画像データの色再現を行う
画像処理方法。
【請求項８】
コンピュータを含む画像処理装置において、
画像データとこの画像データの色再現を行うための色空間及び色域マッピング手法を含む色再現情報とを受け付ける受付ステップと、
この受け付けられた色再現情報に基づいて、前記画像データの色再現を行う色再現ステップと、
を前記画像処理装置に実行させるプログラム。
【発明の詳細な説明】
【技術分野】
【０００１】
本発明は、拡張色空間に属する画像の色再現を行う画像処理装置に関する。
【背景技術】
【０００２】
この種の画像処理装置においては、赤（Ｒ）、緑（Ｇ）、青（Ｂ）で表現された画像の色再現を行うことが知られている。
非特許文献１では、ＲＧＢ各色１６ｂｉｔで表現されたｓｃＲＧＢ空間が、拡張色空間として開示されている。この拡張色空間は、シーン依存の色空間である。
一方、一般的に普及しているｓＲＧＢ空間はブラウン管ディスプレイ（ＣＲＴ）を対象に規格されているため、ＣＲＴ以外の液晶、プラズマ又は有機ＥＬのようなディスプレイ環境には不向きであった。多様な表示デバイスに対応した拡張色空間は、規定されていない。
このため、拡張色空間で表示・確認できる色域又は色の再現方法が限定されることが予想される。
【０００３】
しかしながら、この再現方法は表示デバイス独自となり、プリンタなど表示デバイス以外で表示画像を再現しようとすると問題となる。一方、似た課題を解決する技術として、ＩＣＣプロファイルが存在する。しかし、ＩＣＣでは拡張色空間に対する取り決めがなされておらず、表示・確認できる色空間とそれ以外の色空間に関する規定はないという上記と同じ問題が存在する。
【０００４】
【非特許文献１】ＩＥＣ  ＴＣ１００  ＴＡ２（６１９６６−２−２，Ｅｄ．１），“Multimedia systems and equipment - Colour measurement management - Part 2-2: Colour management - Extended RGB colour space - scRGB”，国際電気標準会議（ＩＥＣ），２００３年１月，ｐ．２−１５
【発明の開示】
【発明が解決しようとする課題】
【０００５】
本発明は、上述した背景からなされたものであり、拡張色空間に属する画像をデバイスによらず忠実に色再現できる画像処理装置を提供することを目的とする。
【課題を解決するための手段】
【０００６】
上記目的を達成するために、本発明の第１の特徴とするところは、画像データとこの画像データの色再現を行うための色空間及び色域マッピング手法を含む色再現情報とを受け付ける受付手段と、この受付手段により受け付けられた色再現情報に基づいて、前記画像データの色再現を行う色再現手段と、を有する画像処理装置にある。
【０００７】
好ましくは、色域マッピング手法を記憶する色域マッピング記憶手段をさらに有し、前記色再現手段は、前記受付手段により受け付けられた色再現情報に応じて前記色域マッピング記憶手段に記憶されている色域マッピング手法を選択し、この色域マッピング手法に基づいて前記画像データの色再現を行う。
好ましくは、色空間情報を記憶する色空間記憶手段をさらに有し、前記色再現手段は、前記受付手段により受け付けられた色再現情報に応じて前記色空間記憶手段に記憶されている色空間を選択し、この色空間に基づいて前記画像データの色再現を行う。
また、好ましくは、前記受付手段は、拡張色空間であるｓｃＲＧＢ色空間に属する画像データを受け付ける。
【０００８】
本発明の第２の特徴とするところは、画像表示装置及び画像処理装置を含む画像処理システムであって、前記画像表示装置は、色空間及び色域マッピング手法に基づいて画像データを表示する表示手段と、この表示手段により表示された画像データと、この画像データを表示するための色空間及び色域マッピング手法を含む色再現情報とを送信する送信手段と、を有し、前記画像処理装置は、画像データとこの画像データの色再現を行うための色空間及び色域マッピング手法を含む色再現情報とを受け付ける受付手段と、この受付手段により受け付けられた色再現情報に基づいて、前記画像データの色再現を行う色再現手段と、を有する画像処理システムにある。
【０００９】
好ましくは、前記表示手段は、画像の画素がＲＧＢで表現された画像データを表示し、前記送信手段は、前記表示手段による表示のためのＲＧＢそれぞれのＴＲＣ、ＲＧＢ−ＸＹＺ変換マトリックス又はＣＬＵＴ（カラールックアップテーブル）の少なくともいずれか１つを送信し、前記受付手段は、前記送信手段から送信されたＲＧＢそれぞれのＴＲＣ、ＲＧＢ−ＸＹＺ変換マトリックス又はＣＬＵＴの少なくともいずれか１つを受け付ける。
【００１０】
本発明の第３の特徴とするところは、画像データとこの画像データの色再現を行うための色空間及び色域マッピング手法を含む色再現情報とを受け付け、この受け付けられた色再現情報に基づいて、前記画像データの色再現を行う画像処理方法にある。
【００１１】
本発明の第４の特徴とするところは、コンピュータを含む画像処理装置において、画像データとこの画像データの色再現を行うための色空間及び色域マッピング手法を含む色再現情報とを受け付ける受付ステップと、この受け付けられた色再現情報に基づいて、前記画像データの色再現を行う色再現ステップと、を前記画像処理装置に実行させるプログラムにある。
【発明の効果】
【００１２】
本発明に係る画像処理装置によれば、拡張色空間に属する画像をデバイスによらず忠実に色再現できる。
【発明を実施するための最良の形態】
【００１３】
次に、本発明の第１の実施形態を説明する。
図１は、本発明に係る画像処理システム２の概略を説明する図である。
図１に示すように、画像処理システム２は、画像表示装置６、クライアント端末８ａ、８ｂ及び画像形成装置１０を、ネットワーク４に接続して構成される。画像表示装置６又はクライアント端末８ａ、８ｂは、コンピュータ端末であり、ＬＡＮ又はＷＡＮ等から構成されるネットワーク４を介して画像形成装置１０に接続する。画像処理システム２において、クライアント端末８ａ、８ｂ及び画像形成装置１０は、画像処理装置として機能する。なお、クライアント端末８ａ、８ｂなど複数ある構成部分のいずれかを特定せずに示す場合には、単に「クライアント端末８」などと略記することがある。
【００１４】
画像表示装置６は、画像をＣＲＴ表示装置あるいは液晶表示装置に表示し、この画像データを、クライアント端末８ａ、８ｂに対して送信したり、画像形成装置１０に対して送信して印刷を依頼したりする。クライアント端末８は、この画像データを受け取り、画像の色再現を行い、画像を表示装置に表示する。画像形成装置１０は、画像表示装置６から送信された画像データを受け取り、画像の色再現を行い、画像の印刷処理を行う。
【００１５】
図２は、本発明に係るクライアント端末８及び画像形成装置１０（画像処理装置）のハードウェア構成を例示する図である。
図２に示すように、クライアント端末８及び画像形成装置１０は、ＣＰＵ１４及びメモリ１６などを含む制御装置１２、ＬＣＤ表示装置あるいはＣＲＴ表示装置からなる表示装置１８、キーボード・タッチパネルなどを含む入力装置２６、通信装置２０及びＨＤＤ・ＣＤ装置などの記憶装置２２などから構成される。画像形成装置１０は、画像形成装置本体２８をさらに有する。画像表示装置６は、このクライアント端末８と同様のハードウェア構成を有する。画像表示装置６及びクライアント端末８は、例えばパーソナルコンピュータなどであり、画像形成装置１０は、例えば、プリンタ、ファクシミリあるいは複合機である。
【００１６】
図３は、画像処理システム２における色再現情報の送受信を説明する図である。
図３に示すように、画像表示装置６は、色再現情報を、クライアント端末８あるいは画像形成装置１０に対して送信する。色再現情報は、拡張色空間に属する画像データ、画像表示装置６の表示装置１８が動作する色空間に関する色空間情報、及び、この画像表示装置６で実行される色域マッピング手法に関する色域マッピング情報を含む。
画像データは、例えばｓｃＲＧＢ色空間に属し、ＲＧＢ各１６ｂｉｔで表現される。色空間情報は、ＲＧＢそれぞれのＴＲＣ(Tone Reproduction Curve)、ＲＧＢ−ＸＹＺ変換マトリックス、ＣＬＵＴ(Color LookUp Table)などを含む。ＲＧＢ−ＸＹＺ変換マトリックスは、黒点、白点、プライマリ、オフセットから相互に変換可能である。色域マッピング情報は、画像表示装置６の表示装置１８（図２）の色域では再現できない色に対して、再現可能な色の中から、色を選択する色域マッピング手法を含む。色域マッピング手法には、例えば、色の関係を維持したまま色を移動させる手法、再現可能な色域に収まらない色のみを移動する手法などがある。
【００１７】
画像形成装置１０などの画像処理装置は、画像データ、色空間情報及び色域マッピング情報を受け付け、この色空間情報及び色域マッピング情報に応じて、画像データの色再現を行う。具体的には、画像形成装置１０などは、色空間情報に基づいて画像表示装置６で用いられた色空間を設定し、画像データの色再現のための色を、色域マッピング情報に基づいて画像表示装置６で再現可能な色域から選択する。画像形成装置１０は、この選択された色に基づいて、印刷処理に適した表色系の色空間に変換し、画像を形成する。また、クライアント端末８は、この選択された色に基づいて、クライアント端末８の表示装置１８が動作する色空間に色変換し、表示装置１８に画像を表示する。
【００１８】
図４は、画像表示装置６の制御装置１２（図２）により実行される表示・送信プログラム３０の構成を例示する図である。
図４に示すように、表示・送信プログラム３０は、ユーザインターフェイス（ＵＩ）部３２、制御部３４、像形成部３６、送信部３８、画像記憶部４０、色空間記憶部４２及び色域マッピング記憶部４４を含む。表示・送信プログラム３０は、例えば記録媒体２４（図２）又はネットワーク４（図１）を介して画像表示装置６の制御装置１２に供給され、メモリ１６にロードされて実行される。
【００１９】
表示・送信プログラム３０において、ＵＩ部３２は、入力装置２６を介してユーザからの入力を受け付けて、この入力された内容を制御部３４に対して出力する。また、ＵＩ部３２は、像形成部３６により形成された画像を、表示装置１８に表示させる。
制御部３４は、ＵＩ部３２から入力された内容に応じて、像形成部３６又は送信部３８を制御する。制御部３４は、ユーザからの画像表示依頼が入力された場合には、像形成部３６を制御して、表示装置１８に画像を表示させる。また、制御部３４は、ユーザからの画像データ送信依頼が入力された場合には、送信部３８を制御して、画像データなどを送信させる。
【００２０】
像形成部３６は、制御部３４の制御により、画像を形成し、この画像をＵＩ部３２に対して出力する。具体的には、像形成部３６は、画像記憶部４０に記憶されている画像データ（ＲＧＢ各１６ｂｉｔ）を参照する。また、像形成部３６は、色空間記憶部４２に記憶されている色空間情報例えばｓＲＧＢ色空間（ＲＧＢ各８ｂｉｔ）に関する情報を参照し、画像データを、ｓＲＧＢ色空間に変換する。さらに、像形成部３６は、色域マッピング記憶部４４に記憶されている色域マッピング手法を参照し、表示装置１８では再現不可能な色を、再現可能な色の中から選択して、画像を形成する。像形成部３６は、この画像をＵＩ部３２に対して出力する。
【００２１】
送信部３８は、制御部３４の制御により、画像記憶部４０に記憶された画像データ、色空間記憶部４２に記憶された色空間情報、及び、色域マッピング記憶部４４に記憶された色域マッピング手法を、通信装置２０を介して、画像形成装置１０などに対して送信する。また、送信部３８は、ネットワーク４を介して、画像形成装置１０などとの間の通信に必要な処理を行う。
なお、送信部３８から送信される情報は、ネットワーク４を介して送信されるのではなく、記録媒体２４（図２）に記憶され、この記録媒体２４を介して画像形成装置１０などの記憶装置２２に記憶されてもよい。
【００２２】
図５は、クライアント端末８又は画像形成装置１０（画像処理装置）の制御装置１２により実行される画像処理プログラム５０の構成を例示する図である。
図５に示すように、画像処理プログラム５０は、受付部５２、色再現部５４及び像形成部６２を含み、色再現部５４は、色空間設定部５６、色域マッピング部５８及び色変換部６０を含む。画像処理プログラム５０は、表示・送信プログラム３０と同様にして、画像形成装置１０などの制御装置１２に供給されて実行される。
【００２３】
画像処理プログラム５０において、受付部５２は、通信装置２０（図２）又は記憶装置２２を介して、色再現対象の画像データと色空間情報と色域マッピング情報とを受け付け、色空間情報を色空間設定部５６に対して出力し、画像データと色域マッピング情報とを色域マッピング部５８に対して出力する。受付部５２により受け付けられる画像データは、例えばｓｃＲＧＢ色空間に属する画像データである。また、受付部５２は、ネットワーク４を介して、送信元の画像表示装置６との間の通信に必要な処理を行う。
【００２４】
色空間設定部５６は、受付部５２により受け付けられた色空間情報に基づいて、色変換のための変換元の色空間を、受け付けられた色空間に設定する。色空間設定部５６は、変換元の色空間を、例えばｓＲＧＢ色空間に設定する。
【００２５】
色域マッピング部５８は、受け付けられた色域マッピング情報に基づいて画像表示装置６で行われた色域マッピング処理を施し、出力デバイスに依存しない色空間において、色空間設定部５６により設定された色空間の一部である色域に、画像データを移動する。色域マッピング部５８は、画像形成装置１０などでは再現可能な色が画像表示装置６の表示装置１８で再現不可能である場合には、色域マッピング処理に基づいて、画像表示装置６の表示装置１８で選択された色を選択する。また、色域マッピング部５８は、この色域マッピング処理が施され、出力デバイスに依存しない色空間に変換された画像データを、色変換部６０に対して出力する。
【００２６】
色変換部６０は、色域マッピング部５８から入力された画像データを、出力デバイスに応じた表色系の画像データに変換し、像形成部６２に対して出力する。具体的には、画像形成装置１０においては、色変換部６０は、画像データを、印刷処理に適した表色系の画像データ（ＹＭＣＫ）に変換する。クライアント端末８においては、色変換部６０は、画像データを、表示装置１８の表示処理に適した表色系の画像データ（ＲＧＢ）に変換する。色変換部６０は、色変換を行うためのＤＬＵＴを予め記憶しており、このＤＬＵＴを参照して、画像データの色変換を行う。
【００２７】
像形成部６２は、色変換部６０から入力された画像データに基づいて、出力デバイスを制御して、画像を形成する。例えば、像形成部６２は、画像形成装置本体２８を制御して像形成を行ったり、クライアント端末８の表示装置１８に対して画像を表示させたりする。
【００２８】
次に、画像表示装置６の全体的な動作を説明する。
図６は、画像表示装置６（表示・送信プログラム３０）の動作（Ｓ１０）を示すフローチャートである。
図６に示すように、ステップ１００（Ｓ１００）において、ユーザが入力装置２６を介して画像の表示を依頼すると、ＵＩ部３２は、この依頼内容を制御部３４に対して出力する。制御部３４は、像形成部３６を制御して、この依頼された画像を表示させる。よって、像形成部３６は、画像記憶部４０に記憶されている画像データを参照する。
ステップ１０２（Ｓ１０２）において、像形成部３６は、色空間記憶部４２に記憶されている色空間情報を参照して、画像表示装置６の表示装置１８が動作する色空間を取得する。
【００２９】
ステップ１０４（Ｓ１０４）において、像形成部３６は、色域マッピング記憶部４４に記憶されている色域マッピング情報を参照し、画像表示装置６の表示装置１８で再現可能な色域の中に画像データを移動する。
ステップ１０６（Ｓ１０６）において、像形成部３６は、この画像をＵＩ部３２に対して出力して、表示装置１８に表示させる。
【００３０】
ステップ１０８（Ｓ１０８）において、ＵＩ部３２は、この画像を画像形成装置１０など画像処理装置に対して送信するか否かを表示装置１８に表示し、ユーザからの入力を受け入れる。ＵＩ部３２は入力装置２６を介してユーザからの入力を受け入れると、この入力された内容を制御部３４に対して出力する。制御部３４は、この内容が送信処理を実行することを示すか否かを判定し、送信処理を実行する内容である場合には、表示・送信プログラム３０はＳ１１０の処理に進み、そうでない場合には、処理を終了する。
【００３１】
ステップ１１０（Ｓ１１０）において、制御部３４は、送信部３８を制御して、表示された画像データを、画像形成装置１０などに対して出力させる。送信部３８は、画像記憶部４０を参照して、表示された画像データを送信する。
ステップ１１２（Ｓ１１２）において、制御部３４は、送信部３８を制御して、表示のための色空間情報を、画像形成装置１０などに対して出力させる。送信部３８は、色空間記憶部４２を参照して、表示のための色空間情報を送信する。
ステップ１１４（Ｓ１１４）において、制御部３４は、送信部３８を制御して、画像表示装置６の表示装置１８が再現可能な色域を示す色域マッピング情報を、画像形成装置１０などに対して出力させる。送信部３８は、色域マッピング記憶部４４を参照して、画像表示装置６の表示装置１８のための色域マッピング情報を送信する。
【００３２】
次に、クライアント端末８又は画像形成装置１０（画像処理装置）の全体的な動作を説明する。
図７は、クライアント端末８又は画像形成装置１０（画像処理プログラム５０）の動作（Ｓ２０）を示すフローチャートである。
図７に示すように、ステップ２００（Ｓ２００）において、受付部５２は、通信装置２０又は記憶装置２２を介して、画像処理の対象となる画像データ（ＲＧＢ各１６ｂｉｔ）を受け付け、この画像データを色域マッピング部５８に対して出力する。
【００３３】
ステップ２０２（Ｓ２０２）において、受付部５２は、色空間情報を受け付け、この色空間情報を色空間設定部５６に対して出力する。
ステップ２０４（Ｓ２０４）において、受付部５２は、色域マッピング情報を受け付け、この色域マッピング情報を色域マッピング部５８に対して出力する。
【００３４】
ステップ２０６（Ｓ２０６）において、色空間設定部５６は、色空間情報に基づいて、ソースの色空間を、受け付けられた色空間に設定する。
ステップ２０８（Ｓ２０８）において、色域マッピング部５８は、色域マッピング情報に基づいて色域マッピング処理を施す。このため、画像形成装置１０などは、この色域マッピング情報の送信元のデバイスで使用された色域の中に、画像データを移動する。色域マッピング部５８は、色域マッピング処理が施された後の画像データを、色変換部６０に対して出力する。
【００３５】
ステップ２１０（Ｓ２１０）において、色変換部６０は、色域マッピング部５８から入力された画像データを、印刷処理に適した表色系の画像データ（ＹＭＣＫ）に色変換する。ここで、出力デバイスが例えばクライアント端末８の表示装置１８である場合には、色変換部６０は、入力された画像データを、表示装置１８の表示処理に適した表色系の画像データ（ＲＧＢ）に色変換する。色変換部６０は、色変換後の画像データを、像形成部６２に対して出力する。
ステップ２１２（Ｓ２１２）において、像形成部６２は、入力された画像データに基づいて、出力デバイスを制御して、画像を形成する。
【００３６】
このようにして、画像形成装置１０などの画像処理装置は、拡張色空間に属する画像データを表示した画像表示装置６の表示装置１８の色空間情報と色域マッピング情報とを受け付け、受け付けられた色空間を設定して、受け付けられた色域マッピング手法を施すので、画像表示装置６の表示装置１８で表示された拡張色空間に属する画像の色再現を行うことができる。また、出力デバイスに依存しない色空間において画像表示装置６の表示装置１８と同じ色域マッピング処理を施すので、画像形成装置１０などが形成する画像は、出力デバイスによらず、忠実に色再現される。
【００３７】
次に、本発明の第２の実施形態を説明する。
図８は、第２の実施形態においてクライアント端末８又は画像形成装置１０（画像処理装置）の制御装置１２により実行される画像処理プログラム７０の構成を例示する図である。なお、図８に示された各構成のうち、図５に示された構成と実質的に同一のものには同一の符号が付されている。
図８に示すように、本実施形態は、画像処理プログラム７０が、画像処理装置のための色域マッピング手法を記憶する色域マッピング記憶部７２を有する点で、第１の実施形態と異なる。画像形成装置１０などの画像処理装置は、画像処理装置のための色域マッピング手法を予め記憶し、画像表示装置６から色域マッピング手法を受け付けると、この受け付けられた色域マッピング手法に近い色域マッピング手法を、予め記憶された色域マッピング手法の中から選択して、この選択された色域マッピング手法に基づいて色域マッピング処理を施す。
【００３８】
色域マッピング記憶部７２は、複数の色域マッピング手法を記憶する。例えば、色域マッピング記憶部７２は、色の関係を維持したまま色を移動させる知覚的マッピング手法、再現可能な色域に収まらない色のみを移動する相対的マッピング手法、あるいは、変換前の画像の明るさや彩度を優先して色を移動する彩度マッピング手法などを記憶する。
色域マッピング部５８は、色域マッピング記憶部７２を参照して、画像表示装置６から受け付けられた色域マッピング手法に最も近い色域マッピング手法を選択する。色域マッピング５８は、この選択された色域マッピング手法に基づいて、画像データの色再現の範囲を調整する。
【００３９】
図９は、第２の実施形態におけるクライアント端末８又は画像形成装置１０（画像処理プログラム７０）の動作（Ｓ３０）を示すフローチャートである。なお、図９に示された各ステップのうち、図７に示された構成と実質的に同一のものには同一の符号が付されている。
図９に示すように、ステップ３００（Ｓ３００）において、色域マッピング部５８は、色域マッピング記憶部７２を参照して、最適な色域マッピング手法を選択する。この選択されたマッピング手法に基づいて、色域マッピング処理は実施される。
【００４０】
このようにして、本実施形態では、画像形成装置１０などの画像処理装置は、画像形成装置１０が再現しうる色域に変換するための色域マッピング手法を記憶し、この記憶された色域マッピング手法から最適な色域マッピング手法を選択するので、画像形成装置１０で再現可能な色を活かして、より効果的に画像データの色再現を行うことができる。
【００４１】
次に、本発明の第３の実施形態を説明する。
図１０は、第３の実施形態においてクライアント端末８又は画像形成装置１０（画像処理装置）の制御装置１２により実行される画像処理プログラム９０の構成を例示する図である。なお、図１０に示された各構成のうち、図５に示された構成と実質的に同一のものには同一の符号が付されている。
図１０に示すように、本実施形態は、画像処理プログラム９０が、画像処理装置のための色空間を記憶する色空間記憶部９２を有する点で、第１の実施形態と異なる。画像形成装置１０などの画像処理装置は、画像表示装置６から画像表示装置６の表示装置１８が動作する色空間情報を受け取ると、この色空間のビット数に応じて、色空間記憶部９２に予め記憶された色空間の中から色空間を選択して、この選択された色空間を設定する。
【００４２】
画像表示装置６から受け付けられた色空間は、画像表示装置６の表示装置１８に依存する。このため、画像表示装置６の表示装置１８がｓＲＧＢ色空間で動作するか、あるいは、広色域の色空間で動作するかによって、この表示装置１８のビット数は異なる。
色空間記憶部９２は、複数の色空間を記憶する。例えば、色空間記憶部９２は、２４ｂｉｔの色空間であるｓＲＧＢ色空間、３２ｂｉｔの色空間であるｂｇＲＧＢ色空間、及び、４８ｂｉｔの色空間であるｓｃＲＧＢ色空間を記憶する。
色空間設定部５６は、画像表示装置６の表示装置１８が動作するビット数に応じて、色空間記憶部９２を参照して、十分な階調数の色空間を選択し、この選択された色空間を設定する。
【００４３】
図１１は、第３の実施形態におけるクライアント端末８又は画像形成装置１０（画像処理プログラム９０）の動作（Ｓ４０）を示すフローチャートである。なお、図１１に示された各ステップのうち、図７に示された構成と実質的に同一のものには同一の符号が付されている。
図１１に示すように、ステップ４００（Ｓ４００）において、色空間設定部５６は、色空間記憶部９２を参照して、階調数を再現しうる色空間を選択する。色空間設定部５６は、ソースの色空間を、この選択された色空間に設定する。
【００４４】
このようにして、本実施形態では、画像形成装置１０などの画像処理装置は、画像形成装置１０が動作しうる色空間を予め記憶し、この記憶された色空間から、画像表示装置６の表示装置１８の階調数を再現しうる色空間を選択するので、忠実な色再現を行うことができる。
【図面の簡単な説明】
【００４５】
【図１】本発明に係る画像処理システム２の概略を説明する図である。
【図２】本発明に係るクライアント端末８及び画像形成装置１０（画像処理装置）のハードウェア構成を例示する図である。
【図３】画像処理システム２における色再現情報の送受信を説明する図である。
【図４】画像表示装置６の制御装置１２（図２）により実行される表示・送信プログラム３０の構成を例示する図である。
【図５】本発明の第１の実施形態においてクライアント端末８又は画像形成装置１０の制御装置１２により実行される画像処理プログラム５０の構成を例示する図である。
【図６】画像表示装置６（表示・送信プログラム３０）の動作（Ｓ１０）を示すフローチャートである。
【図７】本発明の第１の実施形態におけるクライアント端末８又は画像形成装置１０（画像処理プログラム５０）の動作（Ｓ２０）を示すフローチャートである。
【図８】本発明の第２の実施形態においてクライアント端末８又は画像形成装置１０の制御装置１２により実行される画像処理プログラム７０の構成を例示する図である。
【図９】本発明の第２の実施形態におけるクライアント端末８又は画像形成装置１０（画像処理プログラム７０）の動作（Ｓ３０）を示すフローチャートである。
【図１０】本発明の第３の実施形態においてクライアント端末８又は画像形成装置１０の制御装置１２により実行される画像処理プログラム９０の構成を例示する図である。
【図１１】本発明の第３の実施形態におけるクライアント端末８又は画像形成装置１０（画像処理プログラム９０）の動作（Ｓ４０）を示すフローチャートである。
【符号の説明】
【００４６】
２ 画像処理システム
４ ネットワーク
６ 画像表示装置
８ａ、８ｂ  クライアント端末
１０ 画像形成装置
１２ 制御装置
１４ ＣＰＵ
１６ メモリ
１８ 表示装置
２０ 通信装置
２２ 記憶装置
２４ 記録媒体
２６ 入力装置
２８ 画像形成装置本体
３０ 表示・送信プログラム
３２ ＵＩ部
３４ 制御部
３６ 像形成部
３８ 送信部
４０ 画像記憶部
４２ 色空間記憶部
４４ 色域マッピング記憶部
５０ 画像処理プログラム
５２ 受付部
５４ 色再現部
５６ 色空間設定部
５８ 色域マッピング部
６０ 色変換部
６２ 像形成部
７０ 画像処理プログラム
７２ 色域マッピング記憶部
９０ 画像処理プログラム
９２ 色空間記憶部
【図１】
2006093780.tif 000003
【図２】
2006093780.tif 000004
【図３】
2006093780.tif 000005
【図４】
2006093780.tif 000006
【図５】
2006093780.tif 000007
【図６】
2006093780.tif 000008
【図７】
2006093780.tif 000009
【図８】
2006093780.tif 000010
【図９】
2006093780.tif 000011
【図１０】
2006093780.tif 000012
【図１１】
2006093780.tif 000013